(57)【要約】【課題】多種多様なサイズのグラスに対応可能であり、一部を折り曲げ可能とすることで飲料を飲むときに邪魔にならない位置関係を維持できる撹拌具を提供すること。【解決手段】本発明は、飲料を撹拌するマドラーやスプーン等の撹拌具１であって、カーボンスチールワイヤ等の芯材をシリコン樹脂等の樹脂でコーティングして成型した棒状の本体部１ａを有しており、本体部１ａは、任意の位置で屈曲可能である。この本体部１ａの一端に、スプーン形状の匙部１ｃを更に有することとしてもよい。その場合、匙部１ｃは本体部１ａと一体成型されてよい。【選択図】図１
2019005316.tif 000002
【特許請求の範囲】
【請求項１】
飲料を撹拌する撹拌具であって、
芯材を樹脂でコーティングして成型した少なくとも一部が棒状の本体部を有し、
前記本体部は、任意の位置で屈曲可能である
撹拌具。
【請求項２】
前記本体部の一端に設けられた匙部を更に有する
請求項１に記載の撹拌具。
【請求項３】
飲料を撹拌する撹拌具であって、
芯材を樹脂でコーティングして成型した少なくとも一部が棒状の第１本体部と、
前記第１本体部に接続される少なくとも一部が棒状の第２本体部と、を有し、
前記第１本体部は任意の位置で屈曲可能である
撹拌具。
【請求項４】
前記第２本体部の一端に設けられた匙部を更に有する
請求項３に記載の撹拌具。
【請求項５】
前記第１本体部と、前記第２本体部とは、同じ長さである
請求項３に記載の撹拌具。
【請求項６】
前記第１本体部は、前記第２本体部よりも短い長さである
請求項３に記載の撹拌具。
【請求項７】
飲料を撹拌する撹拌具であって、
少なくとも一部が棒状の第１本体部と、
前記第１本体部に接続される少なくとも一部が棒状の第２本体部と、
前記第２本体部の前記第１本体部との接続端とは反対の端に接続される少なくとも一部が棒状の第３本体部と、を有し、
前記第２本体部は、芯材を樹脂でコーティングして成型したものであり、任意の位置で屈曲可能である
撹拌具。
【請求項８】
前記第３本体部の一端に設けられた匙部を更に有する
請求項６に記載の撹拌具。
【請求項９】
飲料を撹拌する撹拌具であって、
少なくとも一部が棒状の第１本体部と、
前記第１本体部に接続されるもので、芯材を樹脂でコーティングして成型したものであり、前記接続端とは反対側の端に匙部が設けられたた少なくとも一部が棒状の第２本体部と、を有し、
前記第２本体部は、前記第１本体部の長さに比して短く、前記第２本体部を任意の位置で屈曲することで、前記匙部の角度を調整可能とした
撹拌具。
【請求項１０】
前記樹脂とは、シリコン樹脂である
請求項１乃至請求項９のいずれか１項に記載の撹拌具。
【発明の詳細な説明】
【技術分野】
【０００１】
本発明は、多種多様なサイズ及び形状のグラスに入れられた飲料を撹拌するマドラーやスプーン等の撹拌具に関する。
【背景技術】
【０００２】
従来、カクテル、焼酎ハイボール、焼酎ハイサワーなどの飲料を撹拌するための器具として、マドラーが一般に広く用いられている。マドラーを用いる場合、ユーザは、飲料を撹拌した後、マドラーをグラスから外して、飲料を飲むことになるが、今日では、マドラーをグラスに収めたままで、飲料を飲めるようにする各種の提案がなされている。
【０００３】
例えば特許文献１では、降状をした本体の上方部分に、コップ等にはさませるため、軽い弾力をもつクリップを設けた、クリップ付きマドラーが開示されている。
【０００４】
さらに、特許文献２では、先端側に掻混部を有し、基端側に摘み部を有し、前記摘み部にクリップを備えてなるクリップ付きマドラーが開示されている。
【先行技術文献】
【特許文献】
【０００５】
【特許文献１】実開昭６１−１９３６５号公報
【特許文献２】特許第５０３８８６２号公報
【発明の概要】
【発明が解決しようとする課題】
【０００６】
しかしながら、特許文献１，２に開示されたものは、クリップによりコップ等の上部を挟持し、位置固定するものであって、挟持した状態でもクリップ部はコップ上部より突出しているので、マドラーをコップ内に入れた状態のままコップ内の飲料を飲むときに動作の邪魔になっていた。さらに、それらマドラーの長さは固定長であり、多種多様なサイズのグラスに対応することは困難であった。
【０００７】
本発明は、このような課題に鑑みてなされたものであり、その目的とするところは、多種多様なサイズのグラスに対応可能であり、任意の位置で屈曲可能とすることで、飲料を飲むときに邪魔にならない位置関係を維持できる撹拌具を提供することにある。
【課題を解決するための手段】
【０００８】
上記課題を解決するため、本発明の第１の態様に係る撹拌具は、飲料を撹拌する撹拌具であって、芯材を樹脂でコーティングして成型した少なくとも一部が棒状の本体部を有し前記本体部は任意の位置で屈曲可能である。
【０００９】
本発明の第２の態様に係る撹拌具は、飲料を撹拌する撹拌具であって、芯材を樹脂でコーティングして成型した少なくとも一部が棒状の第１本体部と、前記第１本体部に接続される少なくとも一部が棒状の第２本体部と、を有し、前記第１本体部は任意の位置で屈曲可能である。
【００１０】
本発明の第３の態様に係る撹拌具は、飲料を撹拌する撹拌具であって、少なくとも一部が棒状の第１本体部と、前記第１本体部に接続される少なくとも一部が棒状の第２本体部と、前記第２本体部の前記第１本体部との接続端とは反対の端に接続される少なくとも一部が棒状の第３本体部とを有し、前記第２本体部は芯材を樹脂でコーティングして成型したものであり、任意の位置で屈曲可能である。
【００１１】
そして、本発明の第４の態様に係る撹拌具は、飲料を撹拌する撹拌具であって、少なくとも一部が棒状の第１本体部と、前記第１本体部に接続されるもので、芯材を樹脂でコーティングして成型したものであり、前記接続端とは反対側の端に匙部が設けられたた少なくとも一部が棒状の第２本体部とを有し、前記第２本体部は前記第１本体部の長さに比して短く、前記第２本体部を任意の位置で屈曲することで、前記匙部の角度を調整可能とした。
【発明の効果】
【００１２】
本発明によれば、多種多様なサイズのグラスに対応可能であり、任意の位置で屈曲可能とすることで、飲料を飲むときに邪魔にならない位置関係を維持できる撹拌具を提供することができる。
【図面の簡単な説明】
【００１３】
【図１】本発明の第１実施形態に係る撹拌具の構成図である。
【図２】同撹拌具の内部構造及び製造工程を説明する図である。
【図３】同撹拌具の使用状態を説明する図である。
【図４】本発明の第２実施形態に係る撹拌具の構成図である。
【図５】本発明の第３実施形態に係る撹拌具の構成図である。
【図６】本発明の第４実施形態に係る撹拌具の構成図である。
【図７】同撹拌具の詳細な構成を示す図である。
【図８】本発明の第５実施形態に係る撹拌具の構成図である。
【図９】本発明の第６実施形態に係る撹拌具の構成図である。
【発明を実施するための形態】
【００１４】
以下、図面を参照しつつ本発明の一実施形態について説明する。
【００１５】
＜第１実施形態＞
図１には本発明の第１実施形態に係る撹拌具の構成を示し説明する。
【００１６】
同図に示されるように、撹拌具としてのマドラー１は、少なくとも一部が棒状（この例では長尺の円柱形状）の本体部１ａを備えており、該本体部１ａの先端は、スプーン形状の匙部１ｃとなっている。また、本体部１ａの後端は、この例では略球形状の末端部１ｂとなっている。
【００１７】
この第１実施形態では、匙部１ａから末端部１ｂに至る本体部１ａの全長ａ１１は約２３０ｍｍであり、スプーン形状の匙部１ｃの長さａ１２は約４０ｍｍである。また、図２（ａ）に示されるように、本体部１ａの断面の直径ａ１３は約５ｍｍである。ただし、これは一例であって、同サイズに限定されるものではない。
【００１８】
このようなマドラー１の製造に際しては、図２（ｂ）に示されるように、例えば、カーボンスチールワイヤ等からなる芯材１ｄの先端図をスプーン形状に折り曲げて、全体をシリコン樹脂等でコーティングすることで、図１のように成型される。そして、芯材１ｄの断面の直径ａ１４は、図２（ａ）に示されるように、約１．５〜２．０ｍｍである。ただし、芯材１ｄのサイズは、これには限定されない。
【００１９】
このような構成において、第１実施形態に係るマドラー１は、内部にカーボンスチールワイヤ等からなる芯材を有し当該芯材を被覆するように全体がシリコン樹脂でコーティングされた構成となっているので、本体部１ａを所望とする箇所（任意の位置）で約１８０度まで下方に向けて折り曲げることが可能となっている。
【００２０】
従って、図３に示されるように、飲料が入れられた多種多様なサイズ、形状のグラスにマドラー１を入れて、飲料を撹拌した後、グラスの上部でマドラー１の本体部１ａを下方に向けて折り曲げれば、マドラー１をグラスに固定させ、その状態を維持しつつ飲料を飲むことができるようになる。そのとき、図示のように、グラス上部より上方にマドラー１は突出しないので、ユーザの動作の邪魔にならない。
【００２１】
以上説明したように、本発明の第１実施形態によれば、グラスのサイズに合わせて、グラスの上部位置で下方に向けて折り曲げて位置固定できる撹拌具としてのマドラーが提供される。この折り曲げによれば、グラスを挟持し、グラス上部にマドラーをしっかりと位置固定することができる。また、折り曲げによりマドラーがグラスの上部より上方に向けて突出しないので、飲料を飲む動作の妨げにならない。
【００２２】
＜第２実施形態＞
図４には本発明の第２実施形態に係る撹拌具の構成を示し説明する。
【００２３】
同図に示されるように、撹拌具としてのマドラー２は、少なくとも一部が棒状（この例では長尺の円柱形状）の第１本体部２ａと第２本体部２ｂとを備えている。第１本体部２ａは、詳細は後述するが、芯材をシリコン樹脂等でコーティングして成型したもので、折り曲げ可能な部分であり、第２本体部２ｂは、折り曲げできない部分である。また、この第２本体部２ｂの先端は、スプーン形状の匙部２ｃとなっている。また、第１本体部２ａの後端は、この例では、略球形状の末端部２ｄとなっている。
【００２４】
第２実施形態では、第１本体部２ａの長さａ２２は約１１５ｍｍ、第２本体部２ｂの長さａ２３は約１１５ｍｍ、匙部２ｃから末端部２ｄに至る全長ａ２１は約２３０ｍｍであり、スプーン形状の匙部２ｃの長さａ２４は約４０ｍｍである。また、先に図２（ａ）に示したように、第１及び第２本体部２ａ、２ｂの断面の直径ａ１３は約５ｍｍである。ただし、これは一例であって、同サイズに限定されるものではない。
【００２５】
このようなマドラー２の製造に際しては、第１本体部２ａについては、カーボンスチールワイヤ等からなる芯材をシリコン樹脂等でコーティングすることで成型される。芯材の断面の直径は、約１．５〜２．０ｍｍである。但し、芯材のサイズは、これには限定されない。一方、第２本体部２ｂについては、先端がスプーン形状の匙部２ｃとなるようにアクリル樹脂等のプラスティックで一体成型され、製造される。
【００２６】
このような構成において、本実施形態に係るマドラー２は、内部にカーボンスチールワイヤ等からなる芯材を有し、当該芯材を被覆するように第１本体部２ａ全体がシリコン樹脂でコーティングされた構成となっているので、第１本体部２ａを所望とする箇所（任意の位置）で約１８０度まで下方に向けて折り曲げることが可能となっている。
【００２７】
従って、飲料が入れられた多種多様なサイズ、形状のグラスに本実施形態に係るマドラー２を入れて、飲料を撹拌した後、グラスの上部で下方に向けてマドラー２の第１本体部２ａを折り曲げれば、グラス上部を挟持し、マドラー２をグラスに固定させ、その状態を維持しつつ飲料を飲むことを可能とする。そのとき、グラス上部より上方にマドラー２は突出しないので、ユーザの動作の邪魔にならない。
【００２８】
以上説明したように、本発明の第２実施形態によれば、グラスのサイズに合わせて、グラスの上部位置で下方に向けて折り曲げて位置固定できる撹拌具としてのマドラーが提供される。この折り曲げによれば、グラスを挟持し、グラス上部にマドラーをしっかりと位置固定することも可能となる。また、折り曲げによりマドラーがグラスの上部より上方に向けて突出しないので、飲料を飲む動作の妨げにならない。
【００２９】
＜第３実施形態＞
図５には本発明の第３実施形態に係る撹拌具の構成を示し説明する。
【００３０】
同図に示されるように、撹拌具としてのマドラー３は、少なくとも一部が棒状（この例では長尺の円柱形状）の第１本体部３ａと第２本体部３ｂとを備えている。第１本体部３ａは、詳細は後述するが、芯材がシリコン樹脂等でコーティングされ成型されたものであり、折り曲げ可能な部分であり、第２本体部３ｂは、折り曲げできない部分である。この第２本体部３ｂの先端は、スプーン形状の匙部３ｃとなっている。また、第１本体部３ａの後端は、この例では、略球形状の末端部３ｄとなっている。
【００３１】
第３実施形態では、第１本体部３ａの長さａ３２は約５０ｍｍ、第２本体部３ｂの長さａ３３は約１８０ｍｍ、匙部３ｃから末端部３ｄに至る全長ａ３１は約２３０ｍｍ、スプーン形状の匙部３ｃの長さａ３４は約４０ｍｍである。また、先に図２（ａ）に示したように、第１及び第２本体部３ａ、３ｂの断面の直径ａ１３は約５ｍｍである。ただし、これは一例であって、同サイズに限定されるものではない。
【００３２】
このようなマドラー３の製造に際しては、第１本体部３ａについては、カーボンスチールワイヤ等からなる芯材をシリコン樹脂等でコーティングすることで成型される。芯材の断面の直径は、約１．５〜２．０ｍｍである。但し、芯材のサイズは、これには限定されない。一方、第２本体部３ｂについては、先端がスプーン形状の匙部３ｃとなるようにアクリル樹脂等のプラスティックで一体成型され、製造される。
【００３３】
このような構成において、本実施形態に係るマドラー３は、内部にカーボンスチールワイヤ等からなる芯材を有し、当該芯材を被覆するように第１本体部３ａ全体がシリコン樹脂でコーティングされた構成となっているので、第１本体部３ａを所望とする箇所（任意の位置）で約１８０度まで下方に向けて折り曲げることが可能となっている。
【００３４】
従って、飲料が入れられた多種多様なサイズ、形状のグラスに本実施形態に係るマドラー３を入れて、飲料を撹拌した後、グラスの上部で下方に向けてマドラー３の第１本体部３ａを折り曲げれば、グラスを挟持し、マドラー３をグラスに固定させ、その状態を維持しつつ飲料を飲むことを可能とする。そのとき、グラス上部より上方にマドラー３は突出しないので、ユーザの動作の邪魔にならない。
【００３５】
以上説明したように、本発明の第３実施形態によれば、グラスのサイズに合わせて、グラスの上部位置で下方に向けて折り曲げて位置固定できる撹拌具としてのマドラーが提供される。この折り曲げによれば、グラスを挟持し、グラス上部にマドラーをしっかりと位置固定することも可能となる。また、折り曲げによりマドラーがグラスの上部より上方に向けて突出しないので、飲料を飲む動作の妨げにならない。また、第１実施形態に比べて硬質部分が多いので、撹拌作用は高まる。
【００３６】
＜第４実施形態＞
図６には本発明の第４実施形態に係る撹拌具の構成を示し説明する。
【００３７】
同図に示されるように、撹拌具としてのマドラー４は、少なくとも一部が棒状（例えば長尺の円柱形状）の第１本体部４ａ及び第２本体部４ｂと、スプーン形状の匙部４ｄが形成された第３本体部４ｃとを備える。第２本体部４ｂは、詳細は後述するが、芯材がシリコン樹脂等で成型されたものであり、折り曲げ可能な部分である。第１及び第３本体部４ａ、４ｃは、折り曲げできない部分である。また、第１本体部４ａの後端は、この例では略球形状の末端部４ｅとなっている。
【００３８】
第４実施形態では、第１本体部４ａの長さａ４１は約５０ｍｍ、第２本体部４ｂの長さａ４２は約１３０ｍｍ、第３本体部４ｃの長さａ４３は約５０ｍｍ、匙部４ｄから末端部４ｅに至る全長ａ４５は約２３０ｍｍ、スプーン形状の匙部４ｄの長さａ４４は約４０ｍｍである。また、先に図２（ａ）に示したように、第１乃至第３本体部４ａ、４ｂ、４ｃの断面の直径ａ１３は約５ｍｍである。ただし、これは一例であって、同サイズに限定されるものではない。
【００３９】
このようなマドラー４の製造に際しては、第２本体部４ｂは、カーボンスチールワイヤ等からなる芯材をシリコン樹脂等でコーティングすることで成型される。芯材の断面の直径は、約１．５〜２．０ｍｍである。但し、芯材のサイズは、これには限定されない。一方、第１本体部４ａは、末端部４ｅも含めてアクリル樹脂等のプラスティックで一体成型され製造される。第３本体部４ｃについては、先端がスプーン形状の匙部４ｄとなるようにアクリル樹脂等のプラスティックで一体成型され製造される。そして、図７に示されるように、芯材４ｆを第２本体部４ｂより１５ｍｍ程度突出するように成型しておき、第３本体部４ｃの開口部に当該芯材４ｆの突出部を挿通させ、両者を接着剤等で固定する。
【００４０】
このような構成において、本実施形態に係るマドラー４は、内部にカーボンスチールワイヤ等からなる芯材を有し、当該芯材を被覆するように第２本体部４ｂ全体がシリコン樹脂でコーティングされた構成となっているので、第２本体部４ｂを所望とする箇所（任意の位置）で約１８０度まで下方に向けて折り曲げ可能となる。
【００４１】
従って、飲料が入れられた多種多様なサイズ、形状のグラスに本実施形態に係るマドラー４を入れて、飲料を撹拌した後、グラスの上部で下方に向けてマドラー４の第２本体部４ｂを折り曲げれば、マドラー４をグラスに固定させ、その状態を維持しつつ飲料を飲むことを可能とする。そのとき、グラス上部より上方にマドラー４は突出しないので、ユーザの動作の邪魔にならない。
【００４２】
以上説明したように、本発明の第４実施形態によれば、グラスのサイズに合わせて、グラスの上部位置で下方に向けて折り曲げて位置固定できる撹拌具としてのマドラーが提供される。この折り曲げによれば、グラスを挟持し、グラス上部にマドラーをしっかりと位置固定することも可能となり、また折り曲げによりマドラーがグラスの上部より上方に向けて突出しないので、飲料を飲む動作の妨げにならないことも特徴の１つである。更に第１本体部は硬質材料でできているので、操作性はより良くなる。
【００４３】
＜第５実施形態＞
図８には本発明の第５実施形態に係る撹拌具の構成を示し説明する。
【００４４】
同図に示されるように、撹拌具としてのマドラー５は、少なくとも一部が棒状（例えば長尺の円柱形状）の第１本体部５ａと、第２本体部５ｂとを備えている。第２本体部５ｂは、詳細は後述するが、芯材がシリコン樹脂等で成型されたもので、その先端はスプーン形状の匙部５ｃとなっており、折り曲げ可能な部分である。一方、第１本体部５ａは、折り曲げできない部分であり、第１本体部５ａの後端は、この例では、略球形状の末端部５ｄとなっている。
【００４５】
第５実施形態では、第１本体部５ａの長さａ５１は約１８０ｍｍ、第２本体部５ｂの長さａ５２は約５０ｍｍ、匙部５ｃから末端部５ｄに至る全長ａ５４は約２３０ｍｍ、スプーン形状の匙部５ｃの長さａ５３は約４０ｍｍである。また、先に図２（ａ）に示したように、第１及び第２本体部５ａ、５ｂの断面の直径ａ１３は約５ｍｍである。ただし、これは一例であって、同サイズに限定されるものではない。
【００４６】
このようなマドラー５の製造に際しては、先ず、第２本体部５ｂについては、カーボンスチールワイヤ等からなる芯材の先端をスプーン形状に折り曲げた後、全体をシリコン樹脂等でコーティングすることで成型される。芯材の断面の直径は、約１．５〜２．０ｍｍである。但し、芯材のサイズは、これには限定されない。一方、第１本体部５ａについては、末端部５ｄを含めアクリル樹脂等のプラスティックで一体成型され、製造される。
【００４７】
このような構成において、本実施形態に係るマドラー５は、内部にカーボンスチールワイヤ等からなる芯材を有し、当該芯材を被覆するように第２本体部５ｂがシリコン樹脂でコーティングされた構成となっているので、第２本体部５ｂを所望とする箇所で折り曲げることが可能となっている。
【００４８】
従って、例えば、果汁を含む飲料等について、飲料の底に堆積した果汁を取り出すときなどに、第２本体部５ｃを屈曲させることで、匙部５ｃの角度を調整できる。
【００４９】
以上説明したように、本発明の第３実施形態によれば、飲料の底に堆積した果汁等を取り出すときなどに、第２本体部５ｂの底面に対する確度を調整することができるので、グラスの底に堆積した果汁等を効率よくすくいあげることができる。
【００５０】
＜第６実施形態＞
図９には本発明の第６実施形態に係る撹拌具の構成を示し説明する。
【００５１】
同図に示されるように、撹拌具としてのマドラー６は、棒状（この例では、長尺の円柱形状）の本体部６ａを備えており、該本体部１ａの両端は、略球形状の先端部６ｃ、及び末端部６ｂとなっている。
【００５２】
この実施形態では、本体部１ａの全長ａ６１は約２３０ｍｍである。先に図２（ａ）に示したように、本体部１ａの断面の直径ａ１３は約５ｍｍである。ただし、これは一例であって、同サイズに限定されるものではない。
【００５３】
このようなマドラー６の製造に際しては、例えば、カーボンスチールワイヤ等からなる芯材１ｄをシリコン樹脂等でコーティングすることで、先端部６ｃ及び末端部６ｂも含め成型され、製造される。そして、芯材の断面の直径は、約１．５〜２．０ｍｍである。但し、芯材１ｄのサイズは、これには限定されない。
【００５４】
このような構成において、本実施形態に係るマドラー６は、内部にカーボンスチールワイヤ等からなる芯材を有し、当該芯材を被覆するように全体がシリコン樹脂等でコーティングされた構成となっているので、本体部６ａを所望とする箇所で約１８０度まで下方に向けて折り曲げることが可能となっている。
【００５５】
従って、飲料が入れられた多種多様なサイズ、形状のグラスにマドラー６を入れて、飲料を撹拌した後に、グラスの上部で、マドラー６の本体部６ａを下方に向けて折り曲げれば、マドラー６をグラスに固定させ、その状態を維持しつつ飲料を飲むことができる。そのとき、図示のように、グラス上部より上方にマドラー６は突出しないので、ユーザの動作の邪魔にならない。
【００５６】
以上説明したように、本発明の第６実施形態によれば、グラスのサイズに合わせて、グラスの上部位置で下方に向けて折り曲げて位置固定できる撹拌具としてのマドラーが提供される。この折り曲げによれば、グラスを挟持し、グラス上部にマドラーをしっかりと位置固定することも可能となり、また折り曲げによりマドラーがグラスの上部より上方に向けて突出しないので、飲料を飲む動作の妨げにならない。更に、第１実施形態のように匙部を有していないので、製造コストは低くなる。
【００５７】
以上、本発明の第１乃至第６実施形態について説明したが、本発明はこれに限定されることなくその趣旨を逸脱しない範囲で種々の改良・変更が可能であることは勿論である。
【００５８】
例えば、末端部を、所定のキャラクターや会社のロゴマークなど、多様な形状としてもよいことは勿論である。
【符号の説明】
【００５９】
１…撹拌具、１ａ…本体、１ｂ…末端部、１ｃ…匙部。
【図１】
2019005316.tif 000003
【図２】
2019005316.tif 000004
【図３】
2019005316.tif 000005
【図４】
2019005316.tif 000006
【図５】
2019005316.tif 000007
【図６】
2019005316.tif 000008
【図７】
2019005316.tif 000009
【図８】
2019005316.tif 000010
【図９】
2019005316.tif 000011
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
飲料を撹拌するマドラーであって、
芯材を樹脂でコーティングして成型した少なくとも一部が棒状の本体部を有し、
前記本体部は、任意の位置で１８０度まで下方に向けて屈曲可能であり、グラス上部を挟持する
マドラー。
【請求項２】
前記本体部は長さ２３０ｍｍである
請求項１に記載のマドラー。
【請求項３】
飲料を撹拌するマドラーであって、
芯材を樹脂でコーティングして成型した少なくとも一部が棒状の第１本体部と、
前記第１本体部に接続される少なくとも一部が棒状の第２本体部と、を有し、
前記第１本体部は任意の位置で１８０度まで下方に向けて屈曲可能であり、グラス上部を挟持する
マドラー。
【請求項４】
前記第１本体部と、前記第２本体部とはともに長さ１１５ｍｍである
請求項３に記載のマドラー。
【請求項５】
前記第１本体部は長さ５０ｍｍ、前記第２本体部は長さ１８０ｍｍである
請求項３に記載のマドラー。
【請求項６】
前記樹脂とは、シリコン樹脂である
請求項１乃至請求項５のいずれか１項に記載のマドラー。
【請求項７】
飲料を撹拌する撹拌具であって、
少なくとも一部が棒状の第１本体部と、
前記第１本体部に接続される少なくとも一部が棒状の第２本体部と、
前記第２本体部の前記第１本体部との接続端とは反対の端に接続される少なくとも一部が棒状の第３本体部と、を有し、
前記第２本体部は、芯材を樹脂でコーティングして成型したものであり、任意の位置で屈曲可能である
撹拌具。
【請求項８】
前記第３本体部の一端に設けられた匙部を更に有する
請求項７に記載の撹拌具。
【請求項９】
前記樹脂とは、シリコン樹脂である
請求項７又は請求項８に記載の撹拌具。
【手続補正３】
【補正対象書類名】明細書
【補正対象項目名】０００１
【補正方法】変更
【補正の内容】
【０００１】
本発明は、多種多様なサイズ及び形状のグラスに入れられた飲料を撹拌するマドラーやスプーン等の撹拌具、及びマドラーに関する。
【手続補正４】
【補正対象書類名】明細書
【補正対象項目名】０００７
【補正方法】変更
【補正の内容】
【０００７】
本発明は、このような課題に鑑みてなされたものであり、その目的とするところは、多種多様なサイズのグラスに対応可能であり、任意の位置で屈曲可能とすることで、飲料を飲むときに邪魔にならない位置関係を維持できる撹拌具及びマドラーを提供することにある。
【手続補正５】
【補正対象書類名】明細書
【補正対象項目名】０００８
【補正方法】変更
【補正の内容】
【０００８】
上記課題を解決するため、本発明の第１の態様に係るマドラーは、飲料を撹拌するマドラーであって、芯材を樹脂でコーティングして成型した少なくとも一部が棒状の本体部を有し、前記本体部は任意の位置で１８０度まで下方に向けて屈曲可能であり、グラス上部を挟持する。
【手続補正６】
【補正対象書類名】明細書
【補正対象項目名】０００９
【補正方法】変更
【補正の内容】
【０００９】
本発明の第２の態様に係るマドラーは、飲料を撹拌するマドラーであって、芯材を樹脂でコーティングして成型した少なくとも一部が棒状の第１本体部と、前記第１本体部に接続される少なくとも一部が棒状の第２本体部と、を有し、前記第１本体部は任意の位置で１８０度まで下方に向けて屈曲可能であり、グラス上部を挟持する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明によれば、多種多様なサイズのグラスに対応可能であり、任意の位置で屈曲可能とすることで、飲料を飲むときに邪魔にならない位置関係を維持できる撹拌具及びマドラーを提供することができる。